(57)【特許請求の範囲】
【請求項１】
機械加工作業台へのプレート状パネルの締付／締付解除用および固定用クランプであって、前記クランプは、少なくとも一つの支持体本体（１）、締付／締付解除の方向において支持体本体（１）に対して位置調節されるフレーム（２）、およびこのパネルの側面縁部の一つの中へ打ち込む少なくとも二つの締付用および固定用先端部（Ｐ１、Ｐ２）を有するものであり、前記クランプが少なくとも、
−前記フレーム（２）の中に設けられる窪み（２０）と、
前記窪みの中に置かれる、
−前記少なくとも二つの締付用および固定用先端部（Ｐ１、Ｐ２）の可動支持体（２１）であって、該先端部は、前記窪み（２０）に通じる前記フレーム（２）の貫通孔（２２）を介して少なくとも部分的に外方に突出するものであり、締付／締付解除の方向における前記少なくとも二つの先端部の同時の平行移動で、前記少なくとも二つの先端部（Ｐ１、Ｐ２）の移動の連続制御の変化を実行する作動バーを構成する可動支持体（２１）と、
−締付方向における前記少なくとも二つの先端部の締付、固定、および締付解除の移動の連続制御手段（３）と
を有することを特徴とする、機械加工作業台へのプレート状パネルの締付／締付解除用および固定用クランプ。
【請求項２】
前記移動の連続制御手段（３）が、
−カム（３０）であって、押し用カムを形成し、また締付／締付解除の方向に直交する回転軸（Ｘ３０）を中心にした連続回転により駆動される、特定の断面を持った駆動面（３０ａ）を有するカムと、
−接触ローラー（３１）であって、カム（３０）の特定の断面を持った駆動面（３０ａ）と作動バー（２１）との間のスライド式機械的結合を確保する接触ローラーと、
を少なくとも有することを特徴とする、請求項１に記載の締付／締付解除用クランプ。
【請求項３】
前記連続制御手段（３）が、さらに、可動支持体つまり作動バー（２１）の復元用止め具（３２）を有し、該復元用止め具が、ピン（３３）と復元用ピン（３４）とを介して、作動バー（２１）およびカム（３０）それぞれに連動していることを特徴とする、請求項１または２に記載の締付／締付解除用クランプ。
【請求項４】
復元用ピン（３４）が、復元用止め具（３２）と連動しており、また前記カム（３０）に設けられる戻し用カム（３０ｂ）を形成する凹溝の中にはめ込まれ、前記戻し用カム（３０ｂ）が、カム（３０）の押し用カムを形成する特定の断面を持った駆動面（３０ａ）と相補的であることを特徴とする、請求項３に記載の締付／締付解除用クランプ。
【請求項５】
前記少なくとも二つの締付用先端部（Ｐ１、Ｐ２）の可動支持体によっておよび締付／締付解除の連続制御手段（３）によって形成されるユニットが、１／４回転あるいは１／２回転の制御を形成することを特徴とする、請求項１から４のいずれか一つに記載の締付／締付解除用クランプ。
【請求項６】
前記可動支持体が、フレーム（２）と可動支持体（２１）の長手方向対称面に対して、可動支持体上に対称的に分配される複数の締付用先端部を有することを特徴とする、請求項１から５のいずれか一つに記載の締付／締付解除用クランプ。
【請求項７】
支持体本体（１）とフレーム（２）が、互いに位置調節可能であることを特徴とする、請求項１から６のいずれか一つに記載の締付／締付解除用クランプ。
【請求項８】
位置調節可能な支持体本体（１）とフレーム（２）とが、はめ合わせ可能な歯板での結合によって機械的に結合され、歯板の複数の溝が、フレームと支持体本体の長手方向対称面に、および締付／締付解除の方向に直交していることを特徴とする、請求項７に記載の締付／締付解除用クランプ。
【請求項９】
各締付用先端部（Ｐ１、Ｐ２）と可動支持体すなわち作動バー（２１）との間の機械的結合が、
−押し棒（２３）であって、作動バーすなわち可動支持体（２１）の能動面に設けられるゲージ穴（２１０）の中に差込み可能であり、前記押し棒（２３）は、ゲージ穴（２１０）から外方に突出するその自由端部に固定用ボス（２３０）を有する押し棒と
−フレーム（２）の貫通孔（２２）に適合された直径の先端部本体を呈する締付用能動先端部であって、該貫通孔の中にこの締付用能動先端部がはめ込まれ、締付用能動先端部の外方に突出しない方の端部は、押し棒（２３）の前記固定用ボス（２３０）と機械的に結合される、締付用能動先端部と
を少なくとも含むことを特徴とする、請求項１から８のいずれか一つに記載の締付／締付解除用クランプ。
【発明の詳細な説明】
【技術分野】
【０００１】
本発明は、機械加工作業台への、プレート状パネルの締付／締付解除用および固定用クランプに関するものである。
【背景技術】
【０００２】
プレート状パネル、とりわけ金属製プレートは、通常は、それらの機械加工処理のために、工作機械の作業台にしっかりと固定される。
【０００３】
最も一般的な固定システムは、少なくとも一つの支持体本体、締付／締付解除の方向においてこの支持体本体に対して位置調節可能なフレーム、ならびにパネルの側部を形成する側面縁部のうちの一つの中へ打ち込む一つまたは複数の締付用および固定用の先端部を含む。
【０００４】
一つまたは複数の締付用先端部は、プレートの側面縁部のより柔らかい材料の中への該先端部の充分な打ち込みを可能にするために、高硬度の特殊な鋼鉄から成る。
【０００５】
この締付／締付解除用および固定用の形態は、実際、なんらかの機械加工処理をプレートの表面全体に施すために、機械加工すべきプレートの表面全体を開放しておくことを可能にする点で、期待に応えるものである。
【０００６】
このタイプの固定のより詳細な説明のために、２００４年８月４日公開の欧州特許出願公開第１４４２８３３号明細書を有益に参照することができるであろう。
【０００７】
しかしながら、上記の固定タイプは、締付／締付解除用先端部のそれぞれに、ハンマーなどのような特殊な工具を使って衝撃を与える必要があるという不都合を呈する。
【０００８】
そのような操作法では、実際、締付／締付解除用先端部のそれぞれに一つの強い衝撃を相次いで与えることが必要であり、それはしたがって、プレートの側面縁部内へのそれぞれの締付／締付解除用先端部の異なる打ち込みをもたらすことになるもので、この異なる打ち込みが全体の固定安定性を害する可能性がある。
【０００９】
そのうえ、そのような固定システムは、不動固定システムおよび可動固定システムの利用を必要とし、該不動固定システムおよび可動固定システムは、まず初めに、不動固定システムと接触させるプレートの単純な位置決め、可動固定システムの設置、そして可動固定システムの締付／締付解除用先端部の打ち込み、次いで最後に、不動固定システムの締付／締付解除用先端部の打ち込みを必要とする。
【００１０】
結局、上記不動固定システムおよび可動固定システムを使った機械加工のためのプレートの設置、締付および固定は、少なくとも九つの相次ぐ基本操作を必要とし、これには利用される不動固定システムや可動固定システムの数、また打ち込むべき締付／締付解除用先端部の数は考慮されていない。したがって、そのような操作法は、基本操作のそれぞれの位置決めの不確実さの合計とほぼ同程度の、プレートの位置決めおよび固定の不確実さを導いてしまう可能性がある。
【００１１】
そのうえ、また上記基本操作の数の多さのために、そのような操作法は、時間を消費するものであること、よって自動機械加工連続作業に関する締付／締付解除、固定のプロセス全体の自動化にあまり適していないものであることが分かる。
【発明の概要】
【発明が解決しようとする課題】
【００１２】
本発明は、締付用先端部の締付、固定、および締付解除のほぼ連続した制御式の、機械加工のためのプレート状パネルの締付／締付解除用および固定用クランプの利用によって、先行技術の固定システムの不都合全てを改善することを目的とする。
【００１３】
とりわけ、本発明の別の目的は、上記のほぼ連続した制御により、本発明の対象の締付／締付解除用クランプが備える少なくとも二つの締付／締付解除用先端部に、一律な締付／締付解除の力を同時にかけることを実施することであり、これにより、機械加工のためのプレートの位置決め精度を改善することができる。
【００１４】
本発明の別の目的はまた、機械加工連続作業でのプレートの位置決めおよび固定の精度の著しい改善を可能にするための、少なくとも二つの締付／締付解除用先端部にかけられる締付／締付解除の力の一律性かつ同時性の特徴による、多数の締付／締付解除用先端部を有する締付／締付解除用クランプの利用であって、該多数の締付／締付解除用先端部は締付用ラインあるいは締付用モチーフに従って整列しており、該締付／締付解除用クランプは、プレートの側面縁部の寸法のほぼ全体にわたって実現されることができ、またしたがってプレートの寸法に適合されることができるものである。
【００１５】
本発明の別の目的はまた、締付用先端部の締付、固定および締付解除のほぼ連続した制御の実施によって、機械加工連続作業での設置および自動制御にとりわけ適合した締付／解除用および固定用クランプを提供することでもある。
【課題を解決するための手段】
【００１６】
本発明の対象の、機械加工作業台へのプレート状パネルの締付／締付解除用および固定用クランプは、少なくとも一つの支持体本体、締付／締付解除の方向においてこの支持体本体に対して位置調節可能なフレーム、ならびにこのパネルの側面縁部のうちの一つの中へ打ち込む少なくとも二つの締付用および固定用先端部を有する。
【００１７】
本発明の対象の、締付／締付解除用および固定用クランプは、前記フレームの中に設けられる少なくとも一つの窪みを有し、またこの窪みの中に、この少なくとも一つの締付用および固定用先端部の可動支持体と、この少なくとも一つの先端部の締付方向における締付、固定および締付解除の移動の連続制御手段とが置かれ、この少なくとも一つの締付用および固定用先端部は、この窪みに通じる、このフレームの貫通孔を介して少なくとも部分的に外方に突出することを特徴とする。
【００１８】
本発明による締付／締付解除用クランプは、そのうえ、可動支持体が、締付／締付解除の方向における前記少なくとも二つの先端部の平行移動で、前記少なくとも二つの先端部の移動の連続制御の動力伝達を実行する作動バーを構成することを特徴とする。
【００１９】
本発明による締付／締付解除用クランプは、そのうえ、前記移動の連続制御手段が、押し用カムを形成しまた締付／締付解除方向に直交する回転軸を中心にした連続回転により駆動される、特定の断面を持った駆動面を有する少なくとも一つのカム手段、および、カム手段の特定の断面を持った駆動面と作動バーとの間のスライド式機械的結合を確保する接触ローラーを有することを特徴とする。
【００２０】
本発明による締付／締付解除用クランプは、そのうえ、連続制御手段が、さらに、可動支持体つまり作動バーの復元用止め具を有しており、該復元用止め具が、ピンと復元用ピンとを介して、作動バーおよびカム手段それぞれに連動しているものであることを特徴とする。
【００２１】
本発明による締付／締付解除用クランプはまた、復元用ピンが、復元用止め具と連動しており、またカム手段の中に設けられる戻し用カムを形成する凹溝の中にはめ込まれるものであり、戻し用カムが、カム手段の押し用カムを形成する特定の断面を持った駆動面と相補的であることを特徴とする。
【００２２】
本発明による締付／締付解除用クランプはまた、前記少なくとも二つの締付用先端部の可動支持体によっておよび締付／締付解除の連続制御手段によって形成されるユニットが、１／４回転あるいは１／２回転の制御を形成することを特徴とする。
【００２３】
本発明による締付／締付解除用クランプはまた、可動支持体が、フレームと可動支持体の長手方向対称面に対して、可動支持体上に対称的に分配される複数の締付用先端部を有することを特徴とする。
【００２４】
本発明による締付／締付解除用クランプはまた、各締付先端部と可動支持体すなわち作動バーとの間の機械的結合が、作動バーすなわち可動支持体の能動面に設けられるゲージ穴の中に差込み可能な少なくとも一つの押し棒を含み、前記押し棒が、ゲージ穴から外方に突出するその自由端部にある固定用ボスと、フレームの貫通孔に適合した直径の先端部本体を呈する締付用能動先端部とを有し、該貫通孔の中にこの締付用能動先端部がはめ込まれ、締付用能動先端部の外方に突出しない方の端部が、押し棒の前記固定用ボスと機械的に結合されることを特徴とする。
【００２５】
本発明の対象の締付／締付解除用および固定用クランプは、金属製または金属製ではない、すべてのタイプのプレート状パネルの機械加工および／または表面処理のための、板金工事の産業分野に応用を見出す。
【００２６】
本発明の対象の締付／締付解除用および固定用クランプは、後述の本明細書を読むことによってまた図面を見ることによってよりよく理解されるであろうが、該図面において同じ符号は同じ構成要素を示している。
【図面の簡単な説明】
【００２７】
【図１】本発明の対象の締付／締付解除用クランプの平面図を例として示しており、該図においてカバーは外されている。
【図２】本発明の対象の締付／締付解除用クランプの分解斜視図を例として示しており、該クランプを構成する不可欠の構成要素の全体を示すことを目的としている。
【図３】図１に示した締付／締付解除用および固定用クランプの、長手方向対称面である切断面Ａ−Ａに沿った断面図を例として示している。
【図４】図１の切断線ＥＥに沿った断面図を例として示しており、本発明の対象のクランプのカム手段と、締付／締付解除用および固定用先端部を備えている作動バーとの間の機械的結合を構成することを可能にする、指定された構成要素であるカム、ピン、および復元用ピンの軸対称の軸の相対的な配置構成と位置を示すことを目的としている。
【図５】本発明の対象の締付／締付解除用および固定用クランプの、非限定的な有利な変形実施例を示しており、図１に示されるような該クランプの左面図に従っている。
【発明を実施するための形態】
【００２８】
図１を参照すると、本発明の目的にかなった、機械加工作業台へのプレート状パネルの締付／締付解除用および固定用クランプは、上記図に示されるように、支持体本体１とフレーム２を有し、該フレームは、上記図で両矢印ＳＤによって示される締付／締付解除の方向において、支持体本体１に対して位置調節可能なものである。この図で、二点鎖線で示される支持体本体１は、フレーム２の下に広がり、また支持体本体１に対するフレーム２の位置調節用の二つの穴の中から見える。
【００２９】
そのうえ、本発明の対象の締付／締付解除用クランプは、少なくとも一つの締付用および固定用先端部を含み、該先端部は、図１の表示ではＰ１およびＰ２と記され、非限定的ではあるが二つに制限されている。上記締付用先端部は、プレート状パネルの側面縁部の一つの中に打ち込まれることによって、プレート状パネルの締付および固定を確保することを可能にする。
【００３０】
本発明の対象のプレート状パネルの締付／締付解除用および固定用クランプの注目すべき態様によると、このクランプは、そのうえ、上記図１で示されるように、フレーム２の中に設けられる窪み２０を含む。上記窪みの中に、締付用および固定用の先端部Ｐ１およびＰ２の可動支持体２１が置かれる。これらの締付用および固定用の先端部は、フレーム２の中に設けられまた上記窪み２０に通じる貫通孔２２を介して、少なくとも部分的にそれぞれ外方に突出する。図１を観察すると、好ましくは、一つの貫通孔２２が、本発明の対象の締付／締付解除用および固定用クランプに備わる締付用および固定用の先端部Ｐ１およびＰ２それぞれに準備されることが分かる。それぞれの貫通孔２２は、好ましくは、移動方向ＳＤに従った平行移動の際に、締付／締付解除用の先端部それぞれのガイドとしての役目を果たすことができるが、これは本明細書中で後により詳細に説明される。
【００３１】
最後に、図１で観察することができるであろうように、窪み２０はまた、上記締付／締付解除の方向ＳＤにおける、締付／締付解除用および固定用の先端部Ｐ１およびＰ２の締付、固定および締付解除の移動の連続制御手段３も有する。
【００３２】
支持体本体１とフレーム２の製造に関して、これらが、好ましくは、鉄合金、非鉄合金などの材料の鋳造によって作られること、あるいは部品製造によって機械加工されることが指示される。
【００３３】
図１でもまた観察されるであろうように、可動支持体２１は、作動バーに相当するが、該作動バーは、上記締付／締付解除の方向ＳＤにおける締付用および固定用の先端部Ｐ１およびＰ２の平行移動に従って、該先端部の移動の連続制御の動力伝達を実行するものである。作動バーの概念は、締付／締付解除の方向ＳＤにおいて、締付／締付解除用の先端部のそれぞれに、同時の平行移動およびほぼ同一の瞬間的な力をかけることを確保することを可能にする、可動支持体すべての構成要素に及ぶ。
【００３４】
より特徴的には、また図１で明らかであるように、移動の連続制御手段３は、少なくとも一つのカム３０を有し、該カムは、特定の断面を持った駆動面３０ａを有するものであり、そして該特定の断面を持った駆動面は押し用カムを形成するものである。上記押し用カムは、Ｘ３０と記される回転軸を中心にした連続回転により駆動され、この回転軸は、締付／締付解除の方向ＳＤに直交しており、またとりわけ図１を含む紙面に直交している。移動の連続制御手段３は、そのうえ、接触ローラー３１を有するが、該ローラーは、カム３０の特定の断面を持った駆動面３０ａと作動バー２１との間のスライド式機械的結合を確保するものである。
【００３５】
同様に、連続制御手段３は、そのうえ、可動支持体つまり作動バー２１の復元用止め具３２を含んでおり、この復元用止め具は、ピン３３と復元用ピン３４とを介して、作動バー２１およびカム３０と連動しているものである。
【００３６】
図１および図３でとりわけ観察されることができるであろうように、復元用ピン３４は、復元用止め具３２と連動しており、またカム３０の中に設けられる、戻し用カム３０ｂを形成する凹溝の中にはめ込まれる。もちろん、戻し用カム３０ｂの形状は、カム３０の押し用カムを形成する特定の断面を持った駆動面３０ａと相補的である。押し用カムを形成する特定の断面を持った駆動面３０ａに対する戻し用カム３０ｂの相補的な特徴は、締付／締付解除の方向ＳＤにおける作動バー２１ならびに締付／締付解除用および固定用の先端部Ｐ１とＰ２と逆の方向への戻しを確保するための、上記押し用カムを形成する特定の断面を持った駆動面３０ａの運動学的相補性で一致するものである。
【００３７】
本発明の対象の締付／締付解除用クランプユニットのより詳細な説明が、ここで、図２で示されるような、該クランプの分解斜視図を参照することにより与えられる。
【００３８】
図２で、支持体本体１と、締付／締付解除の方向ＳＤにおいて位置調節可能なフレーム２とが、はめ合わせ可能な歯板１０での結合によって機械的に結合されることが確認される。上記歯板での結合は、複数の直線の溝から成り、該溝は、支持体本体１とフレーム２の向かい合う両面に設けられ、また、図１の切断面Ａ−Ａである長手方向対称面に、またしたがって上記締付／締付解除の方向に直交しているものである。位置調節可能なフレーム２は、このようにプレート状パネルの縁部に対して調節されることができ、そのユニットが工作機械の作業台に固定される。したがって、引っ込んだ位置の締付／締付解除用先端部もまた、プレート状パネルの材料の性質、プレート状パネルの機械的特性、および締付／締付解除用先端部の想定される埋没の深さを考慮して位置付けられる。
【００３９】
そのうえ、図２で観察されることができるであろうように、カム３０は、スリーブ３５を介して窪み２０の中に取り付けられ、そのユニットは、組立ねじ３６を介してフレーム２の下部内壁に固定される。カム３０は、このように、スリーブ３５の周りに回転式に取り付けられる。カム３０の頂には、ボルトヘッド３０ｃが備わっており、該ボルトヘッドは、レンチを使った手動か、あるいは例えば工作機械に組み入れられた自動制御式工具を介して、カム３０の連続回転制御を可能にすることを目的としている。ストップピン３０ｄは、必要であれば、工作機械に設置するプレート状パネルのタイプに応じて、カム３０ならびに結果的に作動バー２１と締付／締付解除用および固定用先端部Ｐ１とＰ２の行程を、制限しまた適合させることを可能にする。
【００４０】
特定の断面を持った面３０ａと作動バー２１との間の接触を確保するローラー３１は、例えばベリリウム青銅合金のような磨耗防止材料からなる。復元用ピン３４についても同様であり、復元用ピンは、復元用ピン３４、復元用止め具３２、ピン３３からなるユニット、そして結果的に作動バー２１ならびに締付／締付解除用および固定用先端部Ｐ１とＰ２の著しい摩擦のない駆動による復元を確保するために、歯板１０と向かい合うカム３０の下部面に設けられる凹溝３０ｂの中にはめ込まれる。
【００４１】
上記ユニットと、特定の断面を持った面３０ａと凹溝３０ｂによって形成される押し用カムを有するカム３０の配置構成は、図１の切断面Ａ−Ａの図３で詳細に示されるが、カム３０はスリーブ３５と組立ねじ３６とを介して取り付けられる。
【００４２】
図３上のカム３０、ピン３３、および復元用ピン３４の回転軸の位置は、図４に軸Ｘ３０、Ｘ３３、およびＸ３４と記されて示されている。
【００４３】
最後に、とりわけ図２に示されるように、締付／締付解除用および固定用の各先端部Ｐ１、Ｐ２と可動支持体すなわち作動バー２１との間の機械的結合は、有利には、押し棒２３を含み、該押し棒は、締付／締付解除用および固定用先端部を備える作動バーすなわち可動支持体２１の能動面に設けられるゲージ穴２１０の中に差込み可能である。各押し棒２３は、ゲージ穴２１０から外方に突出するその自由端部に固定用ボス２３０を有する。
【００４４】
図２でさらに観察されるであろうように、厳密な意味での各締付用能動先端部は、有利には、この締付用能動先端部が中にはめ込まれるフレーム２の貫通孔２２に適合した直径の先端部本体を呈する。上記締付用能動先端部の外方に突出しない方の端部は、押し棒２３の固定用ボス２３０と機械的に固定される。その固定は、穴および固定用ねじ２３１を介して実行されることが可能である。
【００４５】
図１、図２および図３を観察すると、締付用先端部Ｐ１、Ｐ２の可動支持体２１によって、および締付／締付解除の連続制御手段３、すなわち押し用カムと復元用カムを含むカム３０によって形成されるユニットが、１／４回転あるいは１／２回転の制御を形成することが分かる。
【００４６】
作動バー２１が備える締付／締付解除用先端部の数は、図１から図５で非制限的に示されるように２つに限られるわけではない。特に、非制限的な有利な実施形態において、本発明の対象の締付／締付解除用および固定用クランプの寸法は、幅を適合させることができるが、該幅とは、締付／締付解除の方向ＳＤに直交する方向における、歯板１０を構成する溝の寸法として定義されるものである。この適合は、工作機械の作業台に固定するべきプレート状パネルの寸法に応じて、例えば、異なった寸法のさまざまな複数の締付／締付解除用および固定用クランプの一揃えによって実行することができる。
【００４７】
同様に、本発明の対象の締付／締付解除用クランプは、図６に示されるように、工作機械の作業台に固定すべきプレート状パネルの実際の厚みに応じて、回転軸Ｘ３０、Ｘ３３、およびＸ３４に平行な次元において、高さを適合させることもできる。この場合において、図６で示されるように、締付／締付解除用先端部は、有利には、図１の切断面Ａ−Ａである、フレーム２と可動支持体２１の長手方向対称面に対して対称的に、可動支持体２１上に分配されることができる。上記図で示されるように、締付／締付解除用先端部Ｐ１、Ｐ２、およびＰ３は、有利には、より厚みのあるプレート状パネルのより優れた固定を確保するために、本発明の対象の締付／締付解除用および固定用クランプの高さに応じて広がるモチーフに従って分配されることができる。
【符号の説明】
【００４８】
１  支持体本体
２  フレーム
３  連続制御手段
１０  歯板
２０  窪み
２１  作動バー
２２  貫通孔
３０  カム
３０ａ  特定の断面を持った駆動面
３０ｂ  戻し用カム
３０ｃ  ボルトヘッド
３１  接触ローラー
３２  復元用止め具
３３  ピン
３４  復元用ピン
３５  スリーブ
Ｘ３０  カム回転軸
Ｐ１、Ｐ２  締付／締付解除用および固定用先端部
ＳＤ  締付／締付解除の方向
【先行技術文献】
【特許文献】
【００４９】
【特許文献１】欧州特許出願公開第１４４２８３３号明細書
【図１】
0005837089.tif 000002
【図２】
0005837089.tif 000003
【図３】
0005837089.tif 000004
【図４】
0005837089.tif 000005
【図５】
0005837089.tif 000006
【図６】
0005837089.tif 000007